(57)【特許請求の範囲】
【請求項１】
送信装置側では、入力された伝送データを複数個集めて伝送フレームを構成し、当該伝送フレームを前記送信装置と複数の受信装置とから成るネットワークに向けて送信し、各受信装置側では、受信した伝送フレームからＯＦＤＭ（Orthogonal Frequency Division Multiplexing：直交周波数分割多重）信号（以下、ＯＦＤＭフレームと呼ぶ）を生成すると共に、当該ＯＦＤＭフレームの各キャリアの変調方式が位相の相対変化によってデータを伝送する差動変調方式を用いる場合のＯＦＤＭ信号伝送方式であって、
送信装置側では、受信装置側において生成されるＯＦＤＭフレームの各キャリアの差動基準位相を予め求める手段と、
前記差動基準位相と伝送データを予め決められた順番に配置して多重伝送フレームを構成し、一定間隔で差動基準位相を伝送する手段とを具備し、
受信装置側では、前記多重伝送フレームを受信して各キャリアに対する差動基準位相を分離する手段と、
各キャリアに対する差動基準位相をＯＦＤＭフレームの先頭の伝送シンボルにおける各キャリアのマッピング値とし、２番目以降の伝送シンボルに対しては各キャリア毎に前シンボルと差動変調することによってマッピング値を求める伝送路符号化手段とを具備し、
前記複数の受信装置側に設けられた各ＯＦＤＭ変調装置から生成されるＯＦＤＭフレームの各キャリアの変調位相がすべて同一となるようにしたことを特徴とするＯＦＤＭ信号伝送方式。
【請求項２】
送信装置側では、入力された伝送データを複数個集めて伝送フレームを構成し、当該伝送フレームを前記送信装置と複数の受信装置とから成るネットワークに向けて送信し、各受信装置側では、受信した伝送フレームからＯＦＤＭフレームを生成すると共に、当該ＯＦＤＭフレームの各キャリアの変調方式が位相の相対変化によってデータを伝送する差動変調方式を用いる場合のＯＦＤＭ信号伝送方式であって、
送信装置側では、受信装置側において生成されるＯＦＤＭフレームの各キャリアの差動基準位相を予め求める手段と、
前記差動基準位相と伝送データを予め決められた位置に配置して多重伝送フレームを構成し、前記多重伝送フレームに収容するＯＦＤＭフレームの数を２以上の整数とし、差動基準位相を前記多重伝送フレーム内で予め決められた位置に分割して伝送する手段とを具備し、
受信装置側では、前記多重伝送フレームを受信して、分割して伝送された各キャリアに対する差動基準位相を分離する手段と、
前記多重伝送フレームで第１番目に伝送されるＯＦＤＭフレームの先頭の伝送シンボルにおける各キャリアのマッピング値をある特定の位相とし、２番目以降の伝送シンボルに対しては各キャリア毎に前シンボルと差動変調することによってマッピング値を求める伝送路符号化手段と、
分割して伝送される各キャリアに対する差動基準位相をすべて受信した後、前記特定の位相と受信した差動基準位相の位相差を求め、次の伝送シンボルのマッピング値に対し、その位相差分だけ加算する補正を行って正しいマッピング値を求める手段とを具備し、
前記複数の受信装置に設けられた各ＯＦＤＭ変調装置から生成されるＯＦＤＭフレームの各キャリアの絶対位相が補正後の伝送シンボルからすべて同一となるようにしたことを特徴とするＯＦＤＭ信号伝送方式。
【請求項３】
送信装置側では、入力された伝送データを複数個集めて伝送フレームを構成し、当該伝送フレームを前記送信装置と複数の受信装置とから成るネットワークに向けて送信し、各受信装置側では、受信した伝送フレームからＯＦＤＭフレームを生成すると共に、当該ＯＦＤＭフレームの各キャリアの変調方式が位相の相対変化によってデータを伝送する差動変調方式を用いる場合のＯＦＤＭ信号伝送方式であって、
送信装置側では、受信装置側において生成されるＯＦＤＭフレームの各キャリアの差動基準位相を予め求める手段と、
前記差動基準位相と伝送データを予め決められた位置に配置して多重伝送フレームを構成し、前記多重伝送フレームに収容するＯＦＤＭフレームの数を２以上の整数とし、差動基準位相を前記多重伝送フレーム内で予め決められた位置に分割して伝送する手段とを具備し、
前記多重伝送フレームを受信して、分割して伝送された各キャリアに対する差動基準位相を分離する手段と、
前記多重伝送フレームで第１番目に伝送されるＯＦＤＭフレームの先頭の伝送シンボルにおける各キャリアのマッピング値をある特定の位相とし、２番目以降の伝送シンボルに対しては各キャリア毎に前シンボルと差動変調することによってマッピング値を求める伝送路符号化手段と、
分割して伝送される各キャリアに対する差動基準位相を逐次受信し、受信したキャリアの分だけ、前記特定の位相と受信した差動基準位相の位相差を求め、次の伝送シンボルのマッピング値に対し、その位相差分だけ加算する補正を行って正しいマッピング値を求める手段とを具備し、
前記複数の受信装置に設けられた各ＯＦＤＭ変調装置から生成されるＯＦＤＭフレームの各キャリアの絶対位相がすべてのキャリアに対する補正を行った後の伝送シンボルからすべて同一となるようにしたことを特徴とするＯＦＤＭ信号伝送方式。
【請求項４】
請求項１乃至３のいずれかに記載のＯＦＤＭ信号伝送方式を採用するシステムに用いられ、
受信装置側では、差動基準位相を受信してもその位相値を直ちに適用せず、受信装置が持っている各キャリアの位相値と比較し、Ｎ（自然数）回連続して位相値が異なった場合にのみ、受信した差動基準位相を適用するアルゴリズムを具備することを特徴とする受信装置。
【請求項５】
請求項１乃至３のいずれかに記載のＯＦＤＭ信号伝送方式を採用するシステムに用いられ、
受信装置側では、差動基準位相を受信してもその位相値を直ちに適用せず、受信装置が持っている各キャリアの位相値と比較し、Ｎ（自然数）回連続して位相値が異なった場合にのみ、受信した差動基準位相を適用する機能と、
前方保護中に番組編成の変更通知があった場合は、受信した差動基準位相を直ちに適用し、前方保護のカウンタもリセットする機能を具備することを特徴とする受信装置。
【請求項６】
請求項１乃至３のいずれかに記載のＯＦＤＭ信号伝送方式を採用するシステムに用いられ、
前記ＯＦＤＭフレームの各キャリアの変調方式がＱＡＭなどの同期変調を行なう階層と、ＤＱＰＳＫなどの差動変調を行う階層が混在する階層化伝送を行う場合に、全階層数をＭ、差動変調を行う階層数をＬ（Ｌ≦Ｍ）とすると、差動変調を行う階層数Ｌの分だけ処理を行い、同期変調の階層に対しては処理を行わない伝送路符号化部を具備することを特徴とする送信装置。
【請求項７】
請求項１乃至６のいずれかに記載のＯＦＤＭ信号伝送方式、または受信装置、あるいは送信装置を採用するシステムに用いられ、
前記差動基準位相の伝送開始位置をＯＦＤＭフレームの先頭の伝送シンボルだけではなく、先頭から予め決められた順番の伝送シンボルから開始できるようにしたことを特徴とするＯＦＤＭ信号伝送方式。
【請求項８】
送信装置側では、入力された伝送データを複数個集めて伝送フレームを構成し、当該伝送フレームを前記送信装置と複数の受信装置とから成るネットワークに向けて送信し、各受信装置側では、受信した伝送フレームからＯＦＤＭフレームを生成するＯＦＤＭ信号伝送方式であって、
送信装置側では、前記ＯＦＤＭフレームに挿入されるフレーム同期信号の極性が正転と反転の２種類あり、フレーム毎に正転同期と反転同期を交互に送出する場合に、予めフレーム同期信号の極性を決定する手段と、
前記フレーム同期信号の極性と伝送データを予め決められた位置に配置して多重伝送フレームを構成し、一定間隔でフレーム同期信号の極性を伝送する手段とを具備し、
受信装置側では、前記多重伝送フレームを受信してフレーム同期信号の極性を判定する手段と、
この手段によって判定されたフレーム同期信号の極性をＯＦＤＭフレームに適用する伝送路符号化手段とを具備し、
前記複数の受信装置に設けられた各ＯＦＤＭ変調装置から生成されるＯＦＤＭフレームのフレーム同期信号の極性がすべて同一となるようにしたことを特徴とするＯＦＤＭ信号伝送方式。
【請求項９】
送信装置側では、入力された伝送データを複数個集めて伝送フレームを構成し、当該伝送フレームを前記送信装置と複数の受信装置とから成るネットワークに向けて送信し、受信装置側では、受信した伝送フレームからＯＦＤＭフレームを生成するＯＦＤＭ信号伝送方式であって、
送信装置側では、前記ＯＦＤＭフレームに挿入されるフレーム同期信号の極性が正転と反転の２種類あり、フレーム毎に正転同期と逆転同期を交互に送出する場合に、予めフレーム同期信号の極性を決定する手段と、
前記フレーム同期信号の極性と伝送データを予め決められた位置に配置して多重伝送フレームを構成し、前記多重伝送フレームに収容するＯＦＤＭフレームの数を２以上の整数とし、一定間隔でフレーム同期信号の極性を伝送する手段とを具備し、
受信装置側では、前記多重伝送フレームを受信してフレーム同期信号の極性を判定する手段と、
この手段によって判定された同期信号の極性を第１番目に伝送されるＯＦＤＭフレームに適用し、２番目以降のＯＦＤＭフレームに対してはフレーム同期信号の極性を反転することによって極性を決定する伝送路符号化手段とを具備し、
前記複数の受信装置に設けられた各ＯＦＤＭ変調装置から生成されるＯＦＤＭ信号のフレーム同期信号の極性がすべて同一となるようにしたことを特徴とするＯＦＤＭ信号伝送方式。
【請求項１０】
請求項８または９のいずれかに記載のＯＦＤＭ信号伝送方式を採用するシステムに用いられ、
前記フレーム同期信号の極性を複数回繰り返して送信し、受信装置側では、多数決処理を行って極性を判定する手段を具備することを特徴とする受信装置。
【請求項１１】
送信装置側では、入力された伝送データを複数個数集めて伝送フレームを構成し、受信装置側に設けられる複数のＯＦＤＭ変調装置に対して伝送デ一タを送信し、受信装置側では、別途、ＡＣ（Auxiliary Channel）などの付加情報を多重し、前記伝送データと前記付加情報から複数個の伝送シンボルによってフレーム構成されるＯＦＤＭフレームを生成するＯＦＤＭ信号伝送方式であって、
付加情報とＯＦＤＭフレームを同一フレームに配置する多重伝送フレームを用いて送受信し、前記複数のＯＦＤＭ変調装置から生成されるＯＦＤＭ信号がすべて同一となるようにしたことを特徴とするＯＦＤＭ信号伝送方式。
【発明の詳細な説明】
【０００１】
【発明の属する技術分野】
本発明は、デジタル放送の伝送方式に係わり、特に直交周波数分割多重伝送方式（以下、ＯＦＤＭ（Orthogonal Frequency Division Multiplexing）伝送方式と呼ぶ）を用いたデータ伝送方式およびそれを用いて単一周波数ネットワーク（以下、ＳＦＮ（Single Frequency Network）と呼ぶ）を構成する場合に使用されるＯＦＤＭ信号伝送方式、その送信装置および受信装置に関する。
【０００２】
［発明の概要］
本発明は、ＯＦＤＭフレームの各キャリアの変調方式が位相の相対変化によってデータを伝送する差動変調方式を用いる場合において、一つの送信装置から複数の受信装置に向けてデータを伝送するネットワークを構成するとき、送信側において、受信側で生成されるＯＦＤＭフレームの各キャリアの差動基準位相を予め求め、この差動基準位相と伝送データを予め決められた順番に配置して多重伝送フレームを構成し、一定間隔で差動基準位相を伝送し、受信側において、前記多重伝送フレームを受信して各キャリアに対する差動基準位相を分離し、各キャリアに対する差動基準位相をＯＦＤＭフレームの先頭の伝送シンボルにおける各キャリアのマッピング値とし、２番目以降の伝送シンボルに対しては各キャリア毎に前記差動基準位相と差動変調することによってマッピング値を求めることにより、受信側に配置された複数のＯＦＤＭ変調装置から生成されるＯＦＤＭフレームの各キャリアの変調位相がすべて同一となるようにするものである。
【０００３】
【従来の技術】
現在、地上デジタル放送の伝送方式として、ＩＳＤＢ−Ｔ（Integrated Services Digital Broadcasting-Terrestrial）と呼ばれるＯＦＤＭ伝送方式が規格化され、実用化に向けて検討が進められている。この伝送方式は、マルチパスやゴーストに対する特性に優れるため、同一周波数を用いて複数の送信局から同時に送信するＳＦＮが可能な方式として注目されている。
【０００４】
ＯＦＤＭ伝送方式は、図１４に示すように、周波数方向で互いに直交する多数の搬送波を用いてデータを変調する伝送方式であり、各キャリアの変調方式には、ＤＱＰＳＫ、ＱＰＳＫ、１６ＱＡＭ、６４ＱＡＭなどが用いられる。
【０００５】
時間方向には、図１５に示す有効シンボル期間とガードインターバルにより構成される伝送シンボルを単位として伝送する。有効シンボル期間は、実際にデータを伝送する期間であり、ガードインターバルはマルチパスによる影響を軽減するための期間である。ガードインターバルは、有効シンボル期間の信号波形の一部を巡回的に操り返したものである。
【０００６】
ＯＦＤＭ伝送方式では、図１５に示す伝送シンボルを数十個から数百個程度集めて１つの伝送フレームを構成する。図１６にＯＦＤＭ伝送フレームの構成例を示す。このＯＦＤＭ伝送フレームには、データ伝送用シンボルの他にフレーム同期用のシンボルやサービス識別用シンボルが含まれている。また、各キャリアの変調方式に差動変調方式であるＤＱＰＳＫが用いられる場合には、復調のときの位相基準として参照する差動基準シンボルが伝送される。この伝送フレーム構成は、欧州のＤＡＢ（Digital Audio Broadcasting）方式で採用されているもので、ＯＦＤＭ伝送の開発当初によく用いられていた。
【０００７】
図１７にＯＦＤＭ伝送フレームの別の構成例を示す。このＯＦＤＭ伝送フレームは、すべてデータ伝送用のシンボルで構成されている。ＩＳＤＢ−Ｔ規格では、この伝送フレーム構成を用いている。この場合、フレーム同期用の信号やサービス識別用の信号は、図１６で示したように時間方向で多重されたシンボルを用いるのではなく、図１８に示すように周波数方向で多重される複数のキャリアを用いて伝送する。このフレーム構成は、データ伝送用シンボルが時間的に連続で送信されるため、受信機の復調動作が同期信号などで途切れることなく連続動作が可能となる。従って、受信機のタイミング回路が簡略化できるという特徴がある。
【０００８】
図１９に上記ＯＦＤＭ伝送方式を採用し、ＳＦＮを構成する場合の一例を示す。図１９において、伝送データの送信場所は番組を送出する放送局を想定している。また、伝送データの受信場所は実際に電波を送信する放送所を想定する。通常、ＳＦＮを構成する場合は、放送所は少なくとも２局以上設置される。放送所では、伝送データを受信し、伝送路符号化部５１において、エネルギー拡散、誤り訂正符号化、差動符号化、マッピング、インターリーブなどが行われる。ＯＦＤＭ変調部５２では、フレーム同期信号、サービス識別信号などを多重化するフレーム処理が行われ、ＩＦＦＴにより周波数軸上のデータから時間軸上のデータに変換され、さらにガードインターバルが付加される。その後、Ｄ／Ａ変換器５３によりデジタルのサンプル値系列からアナログベースバンド信号のＯＦＤＭ信号に変換される。この信号は、周波数変換器５４により送信周波数に変換され、さらに電力増幅器５５により電力増幅が行われ送信信号が得られる。
【０００９】
【発明が解決しようとする課題】
従来のＯＦＤＭ伝送方式を用いる場合には、一つの放送局から複数の放送所に対して同一のデジタル信号を送信しても、ＯＦＤＭ変調装置が各放送所に置かれ、受信したデジタル信号からそれぞれ独立に伝送路符号化処理を行うため、各放送所において同一のＯＦＤＭ信号を発生させることは困難であった。特に、ＩＳＤＢ一Ｔ規格のフレームフォーマットを採用する場合には、ＤＱＰＳＫ変調方式を用いる場合の差動基準信号、ＯＦＤＭフレーム同期信号の極性が規定されていないため、各放送所において異なるＯＦＤＭ信号が生成されるという間題があった。
【００１０】
上記のように、各放送所で異なるＯＦＤＭ信号が生成され電波が発射されても、これまでアナログ放送で使われてきた複数の周波数を用いたネットワーク（ＭＦＮ（Multi Frequency Network））の場合には、受信エリアが重ならないため干渉は生じない。
【００１１】
しかし、地上デジタル放送においては、周波数の有効利用を図るため、ＳＦＮによるネットワーク構成が検討されている。ＳＦＮにおいては、図２０に示すようにサービスエリアがオーバーラップするため、複数の放送所から送信された電波が同時に受信されることになる。このため、各放送所から送信されるＯＦＤＭ信号は、すべての送信データのビット列が同じでなければ干渉が生じることになる。
【００１２】
従来方式を用いる場合でも、図１６で示したＯＦＤＭフレーム構成を使用する場合には、ＤＱＰＳＫ変調方式を用いる場合の各キャリアの位相データの不確実性は回避できる。すなわち、この方式は差動基準信号とデータを同時に送信するため、各放送所に置かれるＯＦＤＭ変調装置の各キャリアの位相を一意に決定できる。但し、この方式は差動基準信号がＯＦＤＭ伝送フレームに対して必ず１つは挿入されており、この信号形式のままで電波に乗せられて送信されるので、伝送効率が低下するという欠点がある。
【００１３】
本発明は上記の事情に鑑み、複数の放送所に対して放送番組などのデジタル信号を送信する場合に、各放送所のＯＦＤＭ変調装置において、すべて同一のＯＦＤＭ信号を生成でき、しかも、伝送効率が低下しないＯＦＤＭ信号伝送方式を実現し、さらにはその方式を用いる送信装置と受信装置を提供することにある。
【００１４】
【課題を解決するための手段】
上記の目的を達成するために請求項１の発明は、送信装置側では、入力された伝送データを複数個集めて伝送フレームを構成し、当該伝送フレームを前記送信装置と複数の受信装置とから成るネットワークに向けて送信し、各受信装置側では、受信した伝送フレームからＯＦＤＭ（Orthogonal Frequency Division Multiplexing：直交周波数分割多重）信号（以下、ＯＦＤＭフレームと呼ぶ）を生成すると共に、当該ＯＦＤＭフレームの各キャリアの変調方式が位相の相対変化によってデータを伝送する差動変調方式を用いる場合のＯＦＤＭ信号伝送方式であって、送信装置側では、受信装置側において生成されるＯＦＤＭフレームの各キャリアの差動基準位相を予め求める手段と、前記差動基準位相と伝送データを予め決められた順番に配置して多重伝送フレームを構成し、一定間隔で差動基準位相を伝送する手段とを具備し、受信装置側では、前記多重伝送フレームを受信して各キャリアに対する差動基準位相を分離する手段と、各キャリアに対する差動基準位相をＯＦＤＭフレームの先頭の伝送シンボルにおける各キャリアのマッピング値とし、２番目以降の伝送シンボルに対しては各キャリア毎に前シンボルと差動変調することによってマッピング値を求める伝送路符号化手段とを具備し、前記複数の受信装置側に設けられた各ＯＦＤＭ変調装置から生成されるＯＦＤＭフレームの各キャリアの変調位相がすべて同一となるようにしたことを特徴としている。
【００１５】
請求項２の発明は、送信装置側では、入力された伝送データを複数個集めて伝送フレームを構成し、当該伝送フレームを前記送信装置と複数の受信装置とから成るネットワークに向けて送信し、各受信装置側では、受信した伝送フレームからＯＦＤＭフレームを生成すると共に、当該ＯＦＤＭフレームの各キャリアの変調方式が位相の相対変化によってデータを伝送する差動変調方式を用いる場合のＯＦＤＭ信号伝送方式であって、送信装置側では、受信装置側において生成されるＯＦＤＭフレームの各キャリアの差動基準位相を予め求める手段と、前記差動基準位相と伝送データを予め決められた位置に配置して多重伝送フレームを構成し、前記多重伝送フレームに収容するＯＦＤＭフレームの数を２以上の整数とし、差動基準位相を前記多重伝送フレーム内で予め決められた位置に分割して伝送する手段とを具備し、受信装置側では、前記多重伝送フレームを受信して、分割して伝送された各キャリアに対する差動基準位相を分離する手段と、前記多重伝送フレームで第１番目に伝送されるＯＦＤＭフレームの先頭の伝送シンボルにおける各キャリアのマッピング値をある特定の位相とし、２番目以降の伝送シンボルに対しては各キャリア毎に前シンボルと差動変調することによってマッピング値を求める伝送路符号化手段と、分割して伝送される各キャリアに対する差動基準位相をすべて受信した後、前記特定の位相と受信した差動基準位相の位相差を求め、次の伝送シンボルのマッピング値に対し、その位相差分だけ加算する補正を行って正しいマッピング値を求める手段とを具備し、前記複数の受信装置に設けられた各ＯＦＤＭ変調装置から生成されるＯＦＤＭフレームの各キャリアの絶対位相が補正後の伝送シンボルからすべて同一となるようにしたことを特徴としている。
【００１６】
請求項３の発明は、送信装置側では、入力された伝送データを複数個集めて伝送フレームを構成し、当該伝送フレームを前記送信装置と複数の受信装置とから成るネットワークに向けて送信し、各受信装置側では、受信した伝送フレームからＯＦＤＭフレームを生成すると共に、当該ＯＦＤＭフレームの各キャリアの変調方式が位相の相対変化によってデータを伝送する差動変調方式を用いる場合のＯＦＤＭ信号伝送方式であって、送信装置側では、受信装置側において生成されるＯＦＤＭフレームの各キャリアの差動基準位相を予め求める手段と、前記差動基準位相と伝送データを予め決められた位置に配置して多重伝送フレームを構成し、前記多重伝送フレームに収容するＯＦＤＭフレームの数を２以上の整数とし、差動基準位相を前記多重伝送フレーム内で予め決められた位置に分割して伝送する手段とを具備し、前記多重伝送フレームを受信して、分割して伝送された各キャリアに対する差動基準位相を分離する手段と、前記多重伝送フレームで第１番目に伝送されるＯＦＤＭフレームの先頭の伝送シンボルにおける各キャリアのマッピング値をある特定の位相とし、２番目以降の伝送シンボルに対しては各キャリア毎に前シンボルと差動変調することによってマッピング値を求める伝送路符号化手段と、分割して伝送される各キャリアに対する差動基準位相を逐次受信し、受信したキャリアの分だけ、前記特定の位相と受信した差動基準位相の位相差を求め、次の伝送シンボルのマッピング値に対し、その位相差分だけ加算する補正を行って正しいマッピング値を求める手段とを具備し、前記複数の受信装置に設けられた各ＯＦＤＭ変調装置から生成されるＯＦＤＭフレームの各キャリアの絶対位相がすべてのキャリアに対する補正を行った後の伝送シンボルからすべて同一となるようにしたことを特徴としている。
【００１７】
請求項４の発明は、請求項１乃至３のいずれかに記載のＯＦＤＭ信号伝送方式を採用するシステムに用いられ、受信装置側では、差動基準位相を受信してもその位相値を直ちに適用せず、受信装置が持っている各キャリアの位相値と比較し、Ｎ（自然数）回連続して位相値が異なった場合にのみ、受信した差動基準位相を適用するアルゴリズムを具備することを特徴としている。
【００１８】
請求項５の発明は、請求項１乃至３のいずれかに記載のＯＦＤＭ信号伝送方式を採用するシステムに用いられ、受信装置側では、差動基準位相を受信してもその位相値を直ちに適用せず、受信装置が持っている各キャリアの位相値と比較し、Ｎ（自然数）回連続して位相値が異なった場合にのみ、受信した差動基準位相を適用するアルゴリズムと、前方保護中に番組編成の変更通知があった場合は、受信した差動基準位相を直ちに適用し、前方保護のカウンタもリセットする機能を具備することを特徴としている。
【００１９】
請求項６の発明は、請求項１乃至３のいずれかに記載のＯＦＤＭ信号伝送方式を採用するシステムに用いられ、前記ＯＦＤＭフレームの各キャリアの変調方式がＱＡＭなどの同期変調を行なう階層と、ＤＱＰＳＫなどの差動変調を行う階層が混在する階層化伝送を行う場合に、全階層数をＭ、差動変調を行う階層数をＬ（Ｌ≦Ｍ）とすると、差動変調を行う階層数Ｌの分だけ処理を行い、同期変調の階層に対しては処理を行わない伝送路符号化部を具備することを特徴としている。
【００２０】
請求項７の発明は、請求項１乃至６のいずれかに記載のＯＦＤＭ信号伝送方式、または受信装置、あるいは送信装置を採用するシステムに用いられ、前記差動基準位相の伝送開始位置をＯＦＤＭフレームの先頭の伝送シンボルだけではなく、先頭から予め決められた順番の伝送シンボルから開始できるようにしたことを特徴としている。
【００２１】
請求項８の発明は、送信装置側では、入力された伝送データを複数個集めて伝送フレームを構成し、当該伝送フレームを前記送信装置と複数の受信装置とから成るネットワークに向けて送信し、各受信装置側では、受信した伝送フレームからＯＦＤＭフレームを生成するＯＦＤＭ信号伝送方式であって、送信装置側では、前記ＯＦＤＭフレームに挿入されるフレーム同期信号の極性が正転と反転の２種類あり、フレーム毎に正転同期と反転同期を交互に送出する場合に、予めフレーム同期信号の極性を決定する手段と、前記フレーム同期信号の極性と伝送データを予め決められた位置に配置して多重伝送フレームを構成し、一定間隔でフレーム同期信号の極性を伝送する手段とを具備し、受信装置側では、前記多重伝送フレームを受信してフレーム同期信号の極性を判定する手段と、この手段によって判定されたフレーム同期信号の極性をＯＦＤＭフレームに適用する伝送路符号化手段とを具備し、前記複数の受信装置に設けられた各ＯＦＤＭ変調装置から生成されるＯＦＤＭフレームのフレーム同期信号の極性がすべて同一となるようにしたことを特徴としている。
【００２２】
請求項９の発明は、送信装置側では、入力された伝送データを複数個集めて伝送フレームを構成し、当該伝送フレームを前記送信装置と複数の受信装置とから成るネットワークに向けて送信し、受信装置側では、受信した伝送フレームからＯＦＤＭフレームを生成するＯＦＤＭ信号伝送方式であって、送信装置側では、前記ＯＦＤＭフレームに挿入されるフレーム同期信号の極性が正転と反転の２種類あり、フレーム毎に正転同期と逆転同期を交互に送出する場合に、予めフレーム同期信号の極性を決定する手段と、前記フレーム同期信号の極性と伝送データを予め決められた位置に配置して多重伝送フレームを構成し、前記多重伝送フレームに収容するＯＦＤＭフレームの数を２以上の整数とし、一定間隔でフレーム同期信号の極性を伝送する手段とを具備し、受信装置側では、前記多重伝送フレームを受信してフレーム同期信号の極性を判定する手段と、この手段によって判定された同期信号の極性を第１番目に伝送されるＯＦＤＭフレームに適用し、２番目以降のＯＦＤＭフレームに対してはフレーム同期信号の極性を反転することによって極性を決定する伝送路符号化手段とを具備し、前記複数の受信装置に設けられた各ＯＦＤＭ変調装置から生成されるＯＦＤＭ信号のフレーム同期信号の極性がすべて同一となるようにしたことを特徴としている。
【００２３】
請求項１０の発明は、請求項８または９のいずれかに記載のＯＦＤＭ信号伝送方式を採用するシステムに用いられ、前記フレーム同期信号の極性を複数回繰り返して送信し、受信装置側では、多数決処理を行って極性を判定する手段を具備することを特徴としている。
【００２４】
請求項１１の発明は、送信装置側では、入力された伝送データを複数個数集めて伝送フレームを構成し、受信装置側に設けられる複数のＯＦＤＭ変調装置に対して伝送デ一タを送信し、受信装置側では、別途、ＡＣ（Auxiliary Channel）などの付加情報を多重し、前記伝送データと前記付加情報から複数個の伝送シンボルによってフレーム構成されるＯＦＤＭフレームを生成するＯＦＤＭ信号伝送方式であって、付加情報とＯＦＤＭフレームを同一フレームに配置する多重伝送フレームを用いて送受信し、前記複数のＯＦＤＭ変調装置から生成されるＯＦＤＭ信号がすべて同一となるようにしたことを特徴としている。
【００２５】
【発明の実施の形態】
以下、図面を参照して本発明のＯＦＤＭ信号伝送方式、送信装置、受信装置の実施形態について説明する。
【００２６】
《第１の実施の形態》
図１は、本発明のＯＦＤＭ信号伝送方式に用いる放送局側の装置（機能的には送信装置に相当する。以下、送信装置と呼ぶ。）と放送所側の装置（機能的には受信装置に相当する。以下受信装置と呼ぶ）の構成例を示すものである。
【００２７】
本実施形態において、放送局側に設けられた送信装置は、伝送路符号化部１１と、差動基準信号生成部１２と、遅延回路１３と、伝送フレーム構成部１４とを備えている。図中１５は伝送路符号化部１１で生成されたフレーム同期信号であり、差動基準信号発生部１２と、伝送フレーム構成部１４に供給されている。
また、放送所側に設けられた受信装置は、データ分離部１６と、伝送路符号化部１７と、ＯＦＤＭ変調部１８とを備えている。
【００２８】
送信装置に入力されるデータは、図１７に示すようなＯＦＤＭ信号のデータ伝送用シンボルとする。ここでは、単に伝送データと呼ぶこととする。伝送データは、伝送路符号化部１１においては、エネルギー拡散、誤り訂正符号化などの差動符号化までの前処理が行われる。
【００２９】
前処理されたデータは、差動基準信号生成部１２に入力され、差動符号化が行われ、ＯＦＤＭフレームの先頭シンボルにおける各キャリアの絶対位相が求められる。なお、ＯＦＤＭフレームの先頭シンボルの位置は、伝送路符号化部１１より出力されるフレーム同期信号１５により与えられる。さらに、求められた絶対位相は変調方式に合わせてｎビットのコードに変換される。
【００３０】
絶対位相とｎビットコードの対応は、例えば変調方式にπ／４シフトＤＱＰＳＫを用いる場合には、ｎ＝３となり、図２のようになる。ここで、差動符号化されるキャリア本数をｍとすれば、差動基準信号発生部１２において、ｍ×ｎビットのデータが生成されることになる。
【００３１】
同様に、変調方式ごとに絶対位相とｎビットコードの対応表を定義すれば、様々な差動変調方式に対応できる。位相変調方式だけでなく、振幅と位相の両方の差動変調を行う振幅位相差動変調方式、例えば１６ＤＡＰＳＫ、３２ＤＡＰＳＫ、６４ＤＡＰＳＫに対応する場合は、振幅と位相を表すコンスタレーション上の位置、すなわちマッピング値とｎビットコードの対応表を定義すればよい。
【００３２】
一方、伝送データは遅延回路１３を通して伝送フレーム構成部１４に送られる。この遅延回路１３は、伝送路符号化部１１と差動基準信号発生部１２の処理時間分だけ伝送データを遅延させるものである。この遅延により、伝送データとＯＦＤＭフレームの先頭シンボルにおける各キャリアの絶対位相（ｎビットコード）が同一フレームで同期することになる。
【００３３】
上記の伝送データとＯＦＤＭフレームの先頭シンボルにおける各キャリアの絶対位相（ｎビットコード）は、伝送フレーム構成部１４により合成され、図３に示すようにフレーム化処理が行われる。ここでは、図３に示すフレーム構成を多重伝送フレームと呼ぶ。以上の処理を行うことにより、多重伝送フレームの差動基準位相は、直後に配置されたＯＦＤＭフレームの先頭シンボルにおける各キャリアの絶対位相を伝送することになる。
【００３４】
送信装置は、図３の構造を有する多重伝送フレームを、ＳＦＮを構成する複数の放送所の受信装置に向けて伝送する。伝送回線は、デジタル信号を伝送できるものなら何でもよく、同輔ケーブル、光ファイバー、ＡＴＭなどの公衆回線、マイクロ波回線などが使用できる。
【００３５】
各放送所側に設けられた受信装置は、上記の回線に対応した受信端末からデジタル信号によって多重伝送フレームのデータを受け取るものとする。
【００３６】
受信装置のデータ分離部１６に入力されたデータは、多重伝送フレームに挿入された多重伝送フレーム同期信号（図３参照）により多重伝送フレームの同期がとられ、ＯＦＤＭフレームによって伝送されるデータと差動基準位相に分離される。
【００３７】
これらデータと差動基準位相は、伝送路符号化部１７に入力される。伝送路符号化部１７では、ＯＦＤＭ信号の先頭の伝送シンボルにおける各キャリアのマッピング値は、データ分離部１６によって分離された差動基準位相をそのまま用いることとし、２番目以降の伝送シンボルに対しては各キャリア毎に前シンボルの絶対位相と差動変調することによってマッピング値を求める。その後、伝送路符号化部１７では、図８に示すようにマッピング以降の処理、時間インターリーブや周波数インターリーブなどの処理を行ない出力する。
【００３８】
伝送路符号化部１７の出力信号はＯＦＤＭ変調部１８に入力され、図９に示すように各種のパイロット信号（ＣＰ（Continual Pilot）やＳＰ（Scattered Pilotなど）やサービス識別用信号（ＩＳＤＢ−Ｔでは伝送多重制御信号：ＴＭＣＣ（Transmission and Multiplexing Configuration Control））などが多重され、ＯＦＤＭフレームが構成される。その後、ＩＦＦＴにより周波数軸上のデータから時間軸上のデータに変換され、さらにガードインターバルが付加される。この処理によって、デジタルのＯＦＤＭ信号が得られる。この後、Ｄ／Ａ変換器によりデジタルのサンプル値系列からアナログベースバンド信号のＯＦＤＭ信号に変換される。
【００３９】
ところで、多重伝送フレームに収容されるＯＦＤＭフレームの数は任意に設定することが可能である。多重伝送フレームに収容するＯＦＤＭフレームの数をＮ（Ｎは２以上の整数）とする場合の多重伝送フレームの構成を図４に示す。図４では、伝送される順番にＯＦＤＭフレームの番号をＯＦＤＭフレーム１、ＯＦＤＭフレーム２、…、ＯＦＤＭフレームＮと定義している。
【００４０】
差動基準位相は、すべてのＯＦＤＭフレームの先頭シンボルに対する各キャリアの絶対位相を伝送する必要はなく、ＯＦＤＭフレーム１の先頭シンボルに対する各キャリアの絶対位相のみを伝送する。
【００４１】
このような多重伝送フレーム構造に対応する受信アルゴリズムを以下に記載する。まず、ＯＦＤＭフレーム１では、先頭の伝送シンボルにおける各キャリアのマッピング値は、データ分離部１６によって分離された差動基準位相をそのまま用いることとする。２番目以降の伝送シンボルに対しては各キャリア毎に前シンボルの絶対位相と差動変調することによってマッピング値を求める。次に、ＯＦＤＭフレーム２では、先頭の伝送シンボルにおける各キャリアのマッピング値は、ＯＦＤＭフレーム１の最終シンボルの絶対位相と差動変調することにより求める。
【００４２】
同様に２番目以降の伝送シンボルに対しては各キャリア毎に前シンボルの絶対位相と差動変調することによってマッピング値を求める。ＯＦＤＭフレーム３以降の処理アルゴリズムもＯＦＤＭフレーム２に対する処理アルゴリズムと同様とする。以上の受信アルゴリズムを図５のフローチャートに示す。この受信アルゴリズムを用いることによつて、Ｎ個のＯＦＤＭフレームのすべての伝送シンボルに対する各キャリアの絶対位相が確定する。以上の受信アルゴリズムにおいて、ＯＦＤＭフレーム２以降の差動基準位相を伝送する必要がない理由は、直前に伝送されるＯＦＤＭフレームの最終シンボルの絶対位相と差動変調することによって求めた結果が、予め求めるＯＦＤＭフレームの差動基準位相と一致するからである。
【００４３】
上述した多重伝送フレームを採用することにより、差動基準位相を伝送する時間間隔が大きくなるため、伝送効率を向上させることが可能となる。
【００４４】
図４の多重伝送フレームを用いる場合には、伝送効率は向上するが、差動基準位相を一括して伝送するため、大きなバッファが必要となるなど、受信装置の動作にとっては好ましくない場合がある。この対策として、差動基準位相を多重伝送フレーム内で分割して伝送する方法が考えられる。この方法による多重伝送フレームの構成を図６に示す。ここでは、多重伝送フレームに収容するＯＦＤＭフレームの数と差動基準位相の分割数を共にＮ（Ｎは２以上の整数）としている。
【００４５】
ＯＦＤＭフレームの番号は、伝送される順番にＯＦＤＭフレーム１、ＯＦＤＭフレーム２、…、ＯＦＤＭフレームＮと定義する。また、分割された差動基準位相の伝送ブロックを伝送される順番に差動基準位相１、差動基準位相２、…、差動基準位相Ｎと定義する。
【００４６】
このような多重伝送フレーム構造に対応する受信アルゴリズムを以下に記載する。
【００４７】
まず、ＯＦＤＭフレーム１では、先頭の伝送シンボルにおける各キャリアのマッピング値をある特定の位相とする。２番目以降の伝送シンボルに対しては各キャリア毎に前シンボルの絶対位相と差動変調することによってマッピンク値を求める。次に、ＯＦＤＭフレーム２では、先頭の伝送シンボルにおける各キャリアのマッピング値は、ＯＦＤＭフレーム１の最終シンボルの絶対位相と差動変調することにより求める。同様に２番目以降の伝送シンボルに対しては各キャリア毎に前シンボルの絶対位相と差動変調することによってマッピング値を求める。ＯＦＤＭフレーム３以降の処理アルゴリズムもＯＦＤＭフレーム２に対する処理アルゴリズムと同様とする。
【００４８】
ここで、Ｎ分割して伝送される各キャリアに対する差動基準位相をすべて受信した後、先に特定したＯＦＤＭフレーム１の先頭の伝送シンボルにおける各キャリアの位相と受信した差動基準位相の位相差を求める。この位相差分を次の伝送シンボルのマッピング値に加算する補正を行って正しいマッピング値を求める。
【００４９】
この受信アルゴリズムを用いることによって、ＯＦＤＭフレームの各キャリアの絶対位相が補正後の伝送シンボルから正しい値となる。
【００５０】
以上の受信アルゴリズムでは、差動基準位相をすべて受信した後に位相差の補正を行っているが、差動基準位相の補正を受信の都度、逐次行うことも可能である。差動基準位相の補正を逐次的に行う受信アルゴリズムを以下に記載する。
【００５１】
まず、ＯＦＤＭフレーム１では、先頭の伝送シンボルにおける各キャリアのマッピング値をある特定の位相とする。２番目以降の伝送シンボルに対しては各キャリア毎に前シンボルの絶対位相と差動変調することによってマッピング値を求める。次に、ＯＦＤＭフレーム２では、先頭の伝送シンボルにおける各キャリアのマッピング値は、ＯＦＤＭフレーム１の最終シンボルの絶対位相と差動変調することにより求める。同様に２番目以降の伝送シンボルに対しては各キャリア毎に前シンボルの絶対位相と差動変調することによってマッピング値を求める。ＯＦＤＭフレーム３以降の処理アルゴリズムもＯＦＤＭフレーム２に対する処理アルゴリズムと同様とする。
【００５２】
ここで、Ｎ分割して伝送される各キャリアに対する差動基準位相を逐次受信し、受信したキャリアの分だけ、先に特定したＯＦＤＭフレーム１の先頭の伝送シンボルにおける各キャリアの位相と受信した差動基準位相の位相差を求め、次の伝送シンボルのマッピング値に対しその位相差分だけ加算する補正を行って正しいマッピング値を求める。
【００５３】
以上の操作を繰り返し、すべてのキャリアに対する補正を実行する。
【００５４】
すべてのキャリアに対する補正を行った後に、ＯＦＤＭフレームの各キャリアの絶対位相が正しい値となる。この受信アルゴリズムを用いることによって、受信装置の差動基準位相用のバッファ量を大幅に削減することが可能となる。
【００５５】
上記多重伝送フレームで送られる差動基準位相に誤り訂正符号化を施してデータ伝送の信頼性を向上させることが可能である。図７に差動基準位相と誤り訂正符号の配置を示す。誤り訂正符号には、一般のデータ伝送で用いられる、ハミング符号、ＢＣＨ符号、リード・ソロモン符号、差集合巡回符号、ターボ符号などを用いることができる。
【００５６】
差動基準位相の受信に対して前方保護をかけることでデータ伝送の信頼性を向上させることも可能である。受信側においては、差動基準位相を受信してもその位相値を直ちに適用せず、受信装置が持っている各キャリアの位相値と比較し、Ｎ（自然数）回連続して位相値が異なった場合にのみ、受信した差動基準位相を適用するアルゴリズムを採用する。Ｎの値は、データ伝送を行う回線品質や誤り訂正符号の能力に従って適切な値を設定する。但し、極端に大きな数値を設定すると、番組編成が変わるなどして、ＯＦＤＭ変調の伝送パラメータが変更になったときのレスポンスが悪化するため、回線品質とレスポンスがバランスするような値を設定する必要がある。
【００５７】
ところで、番線編成変更時のレスポンスを向上させるためには、別途番組編成の変更情報を通知し、それをもって前方保護にリセットをかける方法が考えられる。リセット処理を含む処理アルゴリズムを以下に記載する。
【００５８】
受信側においては、差動基準位相を受信してもその位相値を直ちに適用せず、受信装置が持っている各キャリアの位相値と比較し、Ｎ（自然数）回連続して位相値が異なった場合にのみ、受信した差動基準位相を適用するアルゴリズムを採用する。但し、前方保護中に番組編成の変更通知があった場合は、受信した差動基準位相を直ちに適用する。このとき、前方保護のカウンタもリセットする。なお、番組編成情報は、サービス識別用信号（ＩＳＤＢ一Ｔでは伝送多重制御信号：ＴＭＣＣ（Transmission and Multiplexing Configuration Control））で伝送されるものとする。
【００５９】
次に、送信装置の処理時間を短縮する方法を述べる。ｌＳＤＢ一Ｔ規格のように階層化伝送が可能な場合には、ＱＡＭなどの同期変調を行う階層とＤＱＰＳＫなどの差動変調を行う階層が混在する。ここで、全階層数をＭ、差動変調を行う階層数をＬ（Ｌ≦Ｍ）とすると、送信側の伝送路符号化部１１では差動変調を行う階層数Ｎの分だけ処理を行えばよく、これによって処理遅延を小さくすることが可能となる。
【００６０】
ところで、差動基準位相の伝送開始位置をＯＦＤＭフレームの先頭の伝送シンボルだけに限定する必要はない。先頭から予め決められた順番の伝送シンボルからから開始できるようにすれば、送受信装置のタイミング回路の設計に自由度ができる。これによって、送受信装置の処理遅延をさらに小さくすることも可能となる。
【００６１】
この伝送方式による送信および受信アルゴリズムは、これまでに記載した送受信アルゴリズムにおいて、“先頭の伝送シンボル”を“先頭から予め決められた順番の伝送シンボル”に、“２番目の伝送シンボル”を“先頭から予め決められた順番の次の伝送シンボル”というように読み替えればよい。
【００６２】
《第２の実施の形態》
図１０は、本発明のＯＦＤＭ信号伝送方式に用いる放送局側の装置（機能的には送信装置に柏当する。以下、送信装置と呼ぶ。）と放送所側の装置（機能的には受信装置に相当する。以下受信装置と呼ぶ）の構成例を示すものである。
【００６３】
本実施形態における送信装置は、フレーム同期信号極性発生部３１と、伝送フレーム構成部３２と備えている。図中３３は伝送フレーム構成部３２で生成されたフレーム同期信号であり、フレーム同期信号極性発生部３１に供給されている。また、放送所側の受信装置は、データ分離部３４と、フレーム同期信号極性判定部３５と、伝送路符号化部３６と、ＯＦＤＭ変調部３７とを備えている。
【００６４】
送信装置に入力されるデータは、図１７に示すようなＯＦＤＭ信号のデータ伝送用シンボルとする。ここでは、単に伝送データと呼ぶこととする。伝送データは、伝送フレーム構成部３２に入力され、図１１に示されるような多重伝送フレームに格納される。多重伝送フレームのフレーム同期信号極性は、フレーム同期信号極性発生部３１から出力される信号を格納する。フレーム同期信号極性発生部３１は、伝送フレーム構成部３２から出力されるフレーム同期信号３３に同期させて、フレーム同期信号の極性を出力する。フレーム同期信号の極性は、正転と反転の２種類あり、フレーム毎に正転同期と反転同期を交互に出力する。ここで、フレーム同期信号極性は、正転＝“１”、反転＝“０”というデジタル信号に対応させる。
【００６５】
以上の処理を行うことにより、多重伝送フレームのフレーム同期信号極性は、ＯＦＤＭフレームの同期極性を伝送することになる。
【００６６】
送信装置は、図１１の構造を有する多重伝送フレームを、ＳＦＮを構成する複数の放送所の受信装置に向けて伝送する。
【００６７】
受信装置のデータ分離部３４に入力されたデータは、多重伝送フレームに挿入された多重伝送フレーム同期信号（図１１参照）により多重伝送フレームの同期がとられ、ＯＦＤＭフレームによって伝送されるデータとフレーム同期信号極性に分離される。
【００６８】
フレーム同期信号極性は、フレーム同期信号極性判定部３５に入力され、極性判定が行われる。一方、データは伝送路符号化部３６に入力され、エネルギー拡散、誤り訂正符号化、差動符号化、マッピング、インターリーブなどの処理が行われる。
【００６９】
これらデータとフレーム同期信号極性は、ＯＦＤＭ変調部３７に入力される。ここで、フレーム同期信号極性は、実際に伝送するフレーム同期信号に変換されて多重される。また、各種のパイロット信号（ＣＰ（Continual Pilot）やＳＰ（Scattered Pilot）など）やサービス識別用信号（ＩＳＤＢ一Ｔでは伝送多重制御信号：ＴＭＣＣ（Transmission and Multiplexing Configuration Control））なども多重され、ＯＦＤＭフレームが構成される。
【００７０】
その後、ＩＦＦＴにより周波数軸上のデータから時間軸上のデータに変換され、さらにガードインターバルが付加される。この処理によって、デジタルのＯＦＤＭ信号が得られる。この後、Ｄ／Ａ変換器によりデジタルのサンプル値系列からアナログベースバンド信号のＯＦＤＭ信号に変換される。
【００７１】
ところで、フレーム同期信号極性は、ＯＦＤＭフレーム毎に反転するという単純な規則のため、ＯＦＤＭフレーム毎に伝送する必要はなく、間欠的に送ることも可能である。この場合の多重伝送フレームの構成を図１２に示す。図１２の多重伝送フレームを送受信する装置の構成は、図１１の多重伝送フレームを送受信する装置と同様に図１０の構成で実現できる。但し、伝送フレーム構成部３２とＯＦＤＭ変調部３７の動作が若干異なっている。以下に動作の異なる部分を記述する。
【００７２】
伝送データは、伝送フレーム構成部３２に入力され、図１２に示されるような多重伝送フレームに格納される。多重伝送フレームのフレーム同期信号極性は、フレーム同期信号極性発生部３１から出力される信号を格納する。但し、多重伝送フレームのフレーム信号同期極性は、第１番目のＯＦＤＭフレームに対するフレーム同期信号極性を伝送するものとする。
【００７３】
ＯＦＤＭ変調部３７においては、伝送されたフレーム同期信号極性を第ｌ番目のＯＦＤＭフレームに適用し、２番目以降のＯＦＤＭフレームに対しては同期信号の極性を反転することによりＯＦＤＭフレーム同期信号極性を決定する。
【００７４】
以上により、すべてのＯＦＤＭフレームのフレーム同期信号極性が決定される。さらに、フレーム同期信号極性の伝送頻度が減るため、伝送効率を向上させることが可能となる。
【００７５】
ところで、フレーム同期信号極性は、複数回繰り返して送信することで信頼性を向上させることが可能である。例えば、フレーム同期信号の極性を、正転＝“１１１１１１１１”、反転＝“００００００００”というデジタル信号に対応させる。
【００７６】
受信側においては、多数決処理を行って極性を判定する。多数決処理は、受信したビットを“１”か“０”で判定し、“１”の数が多い場合は正転と判定し、少ない場合は反転と判定する。同数の場合は、どちらかを出力する、という単純なアルゴリズムで実現できる。
【００７７】
ＳＦＮを構成する複数の放送所に設置されるＯＦＤＭ変調器では、サービス識別用信号（ＩＳＤＢ一Ｔでは伝送多重制御借号：ＴＭＣＣ（Transmission and Multiplexing Configuration Control））やユーザー情報（ＩＳＤＢ一Ｔでは付加情報：ＡＣ（Auxiliary Channel）が多重されて変調される。従って、これらの情報（以下、単に付加情報と呼ぶ）を番組用データと別回線で伝送した場合には、付加情報と番組用データの間で遅延差が生じないようにする必要がある。どちらかの回線に遅延差を吸収するための遅延回路を挿入すれば解決できるが、ＡＴＭなどの遅延変動がある回線には適用できない。また、遅延変動がない回線を用いても、複数の放送所に対して遅延差を管理することは大変である。この間題を解決する手段として、図１３に示す多重伝送フレームを用いることが考えられる。
【００７８】
この図のようにＯＦＤＭフレームと付加情報を関連づけて多重伝送フレームで伝送すれば両者の間に遅延差が生じることはない。従って、複数の放送所に信号を伝送しても、すべてのＯＦＤＭ変調器の出力信号を同一とすることができる。しかも、信号伝送には２本の回線を用意する必要がなく、経済的な伝送が可能である。
【００７９】
伝送データがＭＰＥＧ−２システムで用いられるＴＳ（Transport Stream）パケットで構成され、さらにＴＳパケットが複数個集まったフレーム構成を持ち、そのフレーム構成の中でデータを伝送する有効パケットとデータを伝送しない無効パケット（ヌルパケット）が予め決められたパターンで伝送されるときには、差動基準位相、フレーム同期信号の極性、ＡＣ（Auxiliary Channel）などの付加情報をパケット化し、ヌルパケットの代わりに多重して伝送する方法が考えられる。この方法により、ＴＳパケットを用いる場合の伝送効率を高めることが可能となる。
【００８０】
各放送所においては、故障や保守作業などにより電波を停止する場合がある。この場合、もう一度、放送機を立ち上げることになるが、受信装置においてＯＦＤＭ信号のすべてのキャリア位相が確定する前に電波を発射すると、ＳＦＮを構成して放送サービスをしているエリアに妨害を与えることになる。
【００８１】
そこで、ＯＦＤＭフレームのすべてのキャリア位相が確定するまで電波の発射を止めておき、すべてのキャリアの位相が確定した時点で電波を発射する、という電力制御をすることにより、他に妨害を与えることなく放送を開始できる。
【００８２】
【発明の効果】
以上説明したように本発明によれば、ＯＦＤＭ変調する前のデジタル信号を複数の放送所の受信装置に分配しても、それぞれの受信装置において元のデジタル信号から全く同一のビット配列を持つＯＦＤＭ信号を発生させることができる。従って、本発明のＯＦＤＭ信号伝送方式、送信装置、受信装置を用いることにより、ＳＦＮを構成する複数の放送所への番組配信が可能となり、周波数の有効利用が図れる。しかも、デジタル信号で配信が可能なため、様々な伝送回線に対応でき、伝送による劣化が生じにくいという効果を奏する。
【００８３】
さらに、ＯＦＤＭの変調方式に差動変調方式を用いる場合には、実際に放送される電波に差動基準信号が挿入されないため、伝送効率を向上させることが可能である。
【００８４】
また、差動基準信号がないため、受信機の復調を連続動作させることが可能となり、受信機のタイミング回路を簡略化できるという効果を奏する。
【図面の簡単な説明】
【図１】本発明の第１の実施の形態におけるＯＦＤＭ信号伝送方式の構成を示すブロック図である。
【図２】π／４シフトＤＱＰＳＫにおける信号点と３ビットコードの対応例を示す説明図である。
【図３】本発明の第１の実施の形熊におけるＯＦＤＭ信号伝送方式に用いる多重伝送フレームの第１の構成を示す説明図である。
【図４】本発明の第１の実施の形態におけるＯＦＤＭ信号伝送方式に用いる多重伝送フレームの第２の構成を示す説明図である。
【図５】本発明の第１の実施の形態におけるＯＦＤＭ信号伝送方式に用いる多重伝送フレームの第２の構成を受信するアルゴリズムを示すフローチャートである。
【図６】本発明の第１の実施の形態におけるＯＦＤＭ信号伝送方式に用いる多重伝送フレームの第３の構成を示す説明図である。
【図７】差動基準位相と誤り訂正符号の配置を示す説明図である。
【図８】図１に示す伝送路符号化部の構成例を示すブロック図である。
【図９】図１に示すＯＦＤＭ変調部の構成例を示すブロック図である。
【図１０】本発明の第２の実施の形態におけるＯＦＤＭ信号伝送方式の構成を示すブロツク図である。
【図１１】本発明の第２の実施の形態におけるＯＦＤＭ信号伝送方式に用いる多重伝送フレームの第１の構成を示す説明図である。
【図１２】本発明の第２の実施の形態におけるＯＦＤＭ信号伝送方式に用いる多重伝送フレームの第２の構成を示す説明図である。
【図１３】付加情報を伝送する多重伝送フレームの構成を示す説明図である。
【図１４】ＯＦＤＭ伝送方式の搬送波の配置を示す説明図である。
【図１５】ＯＦＤＭ伝送方式の伝送シンボルの構成を示す説明図である。
【図１６】特殊な伝送シンボルを用いるＯＦＤＭ伝送フレームの構成例を示す説明図である。
【図１７】データ伝送用シンボルのみで構成されたＯＦＤＭ伝送フレームの構成例を示す説明図である。
【図１８】データ伝送用シンボルのみで構成されたＯＦＤＭ伝送フレームの周波数と時間のキャリア配置を示す説明図である。
【図１９】従来のＯＦＤＭ伝送方式を採用してＳＦＮを構成する場合の構成例を示すブロック図である。
【図２０】ＳＦＮにおけるサービスエリアの例を示す説明図である。
【符号の説明】
１１…伝送路符号化部
１２…差動基準信号発生部
１３…遅延回路
１４…伝送フレーム構成部
１５…フレーム同期信号
１６…データ分離部
１７…伝送路符号化部
１８…ＯＦＤＭ変調部
３１…フレーム同期信号極性発生部
３２…伝送フレーム構成部
３３…フレーム同期信号
３４…データ分離部
３５…フレーム同期信号極性判定部
３６…伝送路符号化部
３７…ＯＦＤＭ変調部
【図１】
0004146064.tif 000002
【図２】
0004146064.tif 000003
【図３】
0004146064.tif 000004
【図４】
0004146064.tif 000005
【図５】
0004146064.tif 000006
【図６】
0004146064.tif 000007
【図７】
0004146064.tif 000008
【図８】
0004146064.tif 000009
【図９】
0004146064.tif 000010
【図１０】
0004146064.tif 000011
【図１１】
0004146064.tif 000012
【図１２】
0004146064.tif 000013
【図１３】
0004146064.tif 000014
【図１４】
0004146064.tif 000015
【図１５】
0004146064.tif 000016
【図１６】
0004146064.tif 000017
【図１７】
0004146064.tif 000018
【図１８】
0004146064.tif 000019
【図１９】
0004146064.tif 000020
【図２０】
0004146064.tif 000021